(57)【特許請求の範囲】
【請求項１】
蓋本体の外側面に固定材を充填する充填切欠部を複数個縦状に対応位置に凹設し、
前記充填切欠部の正面視左右の側面には前記固定材が流入される縦断面略三角形の拡張流入溝が前記蓋本体の長手方向に分岐して固定材の充填に適当長さ設けられ、
前記拡張流入溝が、鉛直方向の下方に向かうに従って前記外側面から離れる方向に傾斜する傾斜面を有している
ことを特徴とする側溝蓋。
【請求項２】
蓋本体の外側面に固定材を充填する充填切欠部を複数個縦状に対応位置に凹設し、
前記充填切欠部の正面視左右の側面には前記固定材が流入される縦断面略三角形の拡張流入溝が前記蓋本体の長手方向に分岐して固定材の充填に適当長さ設けられ、
前記蓋本体の上面には、集水溝が長手方向に設けられ、前記集水溝には側溝本体に設けられた流水溝内に連通される複数個の通水長孔部が設けられ、前記通水長孔部には前記集水溝よりも僅かに幅狭をなす扁平な漏斗部を有する漏斗状案内部材が嵌着されていることを特徴とする側溝蓋。
【請求項３】
前記蓋本体の上面には、前記集水溝に対して少なくとも左右の一側に下り勾配の傾斜面が形成されていることを特徴とする請求項２に記載の側溝蓋。
【請求項４】
蓋本体の外側面に固定材を充填する充填切欠部を複数個縦状に対応位置に凹設し、
前記充填切欠部の正面視左右の側面には前記固定材が流入される縦断面略三角形の拡張流入溝が前記蓋本体の長手方向に分岐して固定材の充填に適当長さ設けられ、
前記蓋本体の四隅下面には、不陸調整用切欠部が設けられ、前記不陸調整用切欠部には、該不陸調整用切欠部に対応して側溝本体の蓋掛かり部に、ボルトと、該ボルトの先端部が螺入されたナットと、により高さ調整杆が構成され、該高さ調整杆が、前記不陸調整用切欠部内に収容されていることを特徴とする側溝蓋。
【請求項５】
前記固定材が、セメントモルタル、合成樹脂接着剤の何れかであることを特徴とする請求項１−４の何れかに記載の側溝蓋。
【請求項６】
請求項１乃至請求項５のうち何れかに記載の側溝蓋の固定方法であって、
流水溝を有する側溝本体の上部に対向して設けられた蓋掛かり部に蓋本体を嵌入する工程と、
前記蓋本体の外側面に対応して凹設された充填切欠部内に流動性を有する固定材を充填する工程と、
前記充填切欠部の左右の側面に長手方向に適当長さ分岐して正面視略Ｔ字状をなし、鉛直方向の下方に向かうに従って前記外側面から離れる方向に傾斜する傾斜面を有する縦断面略三角形の拡張流入溝内に前記固定材を流入、固定することにより前記蓋本体の側面に前記蓋掛かり部に密着する掛かり部を成形する工程と、を含み、
該掛かり部を介して前記蓋本体を前記蓋掛かり部に固定する
ことを特徴とする側溝蓋の固定方法。
【発明の詳細な説明】
【技術分野】
【０００１】
本発明は側溝蓋、および側溝蓋の固定方法に関し、側溝蓋にセメントモルタルのような固定材を用いて側溝本体の蓋掛かり部に固定し、側溝本体の蓋掛かり部での側溝蓋の不用意な移動を無くし、ガタツキ音を防止するようにするものである。
【背景技術】
【０００２】
従来、側溝蓋として、蓋板の上面形状を皿形状や略Ｖ字形状、あるいは片傾斜形状、Ｌ型形状、もしくはフラット形状とし、蓋板の中央部には縦方向あるいは横方向に１〜数個の逆Ｖ字状の漏斗形状としたスリット孔を設け、あるいは前記スリット孔に連通した浅い集水溝を配置した構成により、雨水などの路上の表面水の集水機能を発揮し、該蓋板側面に幅方向や長さ方向の位置規制用の凸部を形成した構成により、車両走行によるガタツキ騒音の低減をはかるようにしたものがあった（例えば特許文献１参照）。
【先行技術文献】
【特許文献】
【０００３】
【特許文献１】特開２００２−２３５３６５号公報
【発明の概要】
【発明が解決しようとする課題】
【０００４】
しかしながら、特許文献１に記載された上記従来の側溝蓋では、蓋板側面に幅方向や長さ方向の位置規制用の凸部を形成した構成により、蓋板側面に幅方向や長さ方向に設けられた位置規制用の凸部を介して蓋板の長さ方向相互を位置規制するか、または側溝本体の蓋掛かり部の立壁との対向面に蓋板側面に長さ方向に設けられた位置規制用の凸部を介して位置規制させることにより車両走行によるガタツキ騒音を無くそうとするものであったが、蓋板側面に幅方向や長さ方向に設けられた位置規制用の前記凸部と、蓋板相互や側溝本体の蓋掛かり部の立壁との接触面積が少ないため、移動し易く、結局、蓋板が移動し易くなり、ガタツキ騒音の消音機能が不十分なものであった。そして、任意の蓋板が、隣接する他の蓋板相互や側溝本体の蓋掛かり部の立壁に対して移動し易く、側溝本体の対向面との間で衝突すると、蓋板にはカケやヒビ割れを生じ、構造的に脆弱なものであった。
【０００５】
しかも、特許文献１に記載の上記従来の側溝蓋では、蓋板の長さ方向において、蓋板相互を連結する場合、または蓋板の幅方向においては、側溝本体の蓋掛かり部の立壁との間では、位置規制用の凸部の設置個所以外の個所は隙間を生ずるため、この隙間に砂やゴミが詰まり易かった。
【０００６】
本発明は上記従来の側溝蓋の問題を解決し、ガタツキ騒音の消音機能が十分であり、カケやヒビ割れが生ずることなく、構造的に堅牢であり、しかも、蓋板の長手方向相互、または蓋板の幅方向において、側溝本体の蓋掛かりの立壁との間に、砂、ゴミが詰まることがない側溝蓋を提供することを目的とする。
【課題を解決するための手段】
【０００７】
本発明の請求項１に記載の発明は、蓋本体の外側面に固定材を充填する充填切欠部を複数個縦状に対応位置に凹設し、
前記充填切欠部の正面視左右の側面には前記固定材が流入される縦断面略三角形の拡張流入溝が前記蓋本体の長手方向に分岐して固定材の充填に適当長さ設けられ、
前記拡張流入溝が、鉛直方向の下方に向かうに従って前記外側面から離れる方向に傾斜する傾斜面を有していることを特徴とする。
【０００８】
また、本発明の請求項２に記載の発明は、蓋本体の外側面に固定材を充填する充填切欠部を複数個縦状に対応位置に凹設し、
前記充填切欠部の正面視左右の側面には前記固定材が流入される縦断面略三角形の拡張
流入溝が前記蓋本体の長手方向に分岐して固定材の充填に適当長さ設けられ、
前記蓋本体の上面には、集水溝が長手方向に設けられ、前記集水溝には側溝本体に設けられた流水溝内に連通される複数個の通水長孔部が設けられ、前記通水長孔部には前記集水溝よりも僅かに幅狭をなす扁平な漏斗部を有する漏斗状案内部材が嵌着されていることを特徴とする。
【０００９】
また、本発明の請求項３に記載の発明は、請求項２において、前記蓋本体の上面には、前記集水溝に対して少なくとも左右の一側に下り勾配の傾斜面が形成されていることを特徴とする。
【００１０】
また、本発明の請求項４に記載の発明は、蓋本体の外側面に固定材を充填する充填切欠部を複数個縦状に対応位置に凹設し、
前記充填切欠部の正面視左右の側面には前記固定材が流入される縦断面略三角形の拡張
流入溝が前記蓋本体の長手方向に分岐して固定材の充填に適当長さ設けられ、
前記蓋本体の四隅下面には、不陸調整用切欠部が設けられ、前記不陸調整用切欠部には、該不陸調整用切欠部に対応して側溝本体の蓋掛かり部に、ボルトと、該ボルトの先端部が螺入されたナットと、により高さ調整杆が構成され、該高さ調整杆が、前記不陸調整用切欠部内に収容されていることを特徴とする。
【００１１】
また、本発明の請求項５に記載の発明は、請求項１−４の何れかにおいて、前記固定材が、セメントモルタル、合成樹脂接着剤の何れかであることを特徴とする。
【００１２】
また、本発明の請求項６に記載の発明は、請求項１乃至請求項５のうち何れかに記載の側溝蓋の固定方法であって、
流水溝を有する側溝本体の上部に対向して設けられた蓋掛かり部に蓋本体を嵌入する工程と、
前記蓋本体の外側面に対応して凹設された充填切欠部内に流動性を有する固定材を充填する工程と、
前記充填切欠部の左右の側面に長手方向に適当長さ分岐して正面視略Ｔ字状をなし、鉛直方向の下方に向かうに従って前記外側面から離れる方向に傾斜する傾斜面を有する縦断面略三角形の拡張流入溝内に前記固定材を流入、固定することにより前記蓋本体の側面に前記蓋掛かり部に密着する掛かり部を成形する工程と、を含み、
該掛かり部を介して前記蓋本体を前記蓋掛かり部に固定する
ことを特徴とする。
【発明の効果】
【００１３】
本発明の請求項１に記載された発明によれば、蓋本体の外側面に固定材を充填する充填切欠部を複数個縦状に対応位置に凹設し、前記充填切欠部の正面視左右の側面には前記固定材が流入される縦断面略三角形の拡張流入溝が前記蓋本体の長手方向に分岐して固定材の充填に適当長さ設けられているので、固定材を充填切欠部内に充填すると、この固定材はその流動性により前記充填切欠部の正面視左右の側面に分岐して設けられた拡張流入溝内に左右分配されて平均して隅々まで流入し、固化されることにより蓋本体が側溝本体の蓋掛かり部に容易かつ確実に固定されるため、不用意な移動はなくなり、ガタツキ騒音の消音機能が十分である。
【００１４】
そして、蓋本体には、その蓋本体の外側面に縦状に対応して凹設された充填切欠部と、該充填切欠部の正面視左右の側面に蓋本体の長手方向に分岐して設けられた拡張流入溝とにより、正面視略逆Ｔ字状に構成されるので、蓋本体を側溝本体の蓋掛かり部に嵌入して施工後は、前述のように前記固定材が、正面視略逆Ｔ字状をなす充填切欠部と、この充填切欠部の正面視左右の側面に分岐して設けられた拡張流入溝とに、均一に且つ充分に充填され、固化されるため、蓋本体に、充填切欠部と、その左右に分岐して設けられた拡張流入溝とよりなる正面視逆Ｔ字状の掛かり部が蓋本体に密着して一体に形成される。そして、蓋本体は側溝本体に構造堅牢にかつ安定に支持される。また、拡張流入溝は断面略三角形に形成されているので、車両が蓋本体の上面を走行する等して荷重が加わる場合に、荷重は断面略三角形の前記拡張流入溝内に流入、固化された固定材を通じて分散されて軽減され、効果的に安定した状態になるから、ガタツキ騒音の消音機能が十分になり、カケやヒビ割れが生ずることなく、構造的に堅牢である。しかも、蓋板の長手方向相互、または蓋板の幅方向において、側溝本体の蓋掛かり部の立壁との間に、砂、ゴミが詰まることがない。
【００１５】
また、本発明の請求項２に記載の発明によれば、前記蓋本体の上面には、集水溝が長手方向に設けられ、前記集水溝には側溝本体の内部に設けられた流水溝内に連通される複数個の通水長孔部が設けられ、前記通水長孔部には前記集水溝よりも僅かに幅狭をなす扁平な漏斗部を有する漏斗状案内部材が嵌着されているので、雨水などの路上の表面水は、蓋本体の上面に長手方向に設けられた集水溝に集水され、次いで、この集水溝に側溝本体の内部に設けられた流水溝内に連通される複数個の通水長孔部から、該通水長孔部に嵌着された集水溝よりも僅かに幅狭をなす漏斗部を有する漏斗状案内部材を介して円滑かつ迅速に流水溝内に流れ落ち、排水される。
【００１６】
また、本発明の請求項３に記載の発明によれば、請求項２において、前記蓋本体の上面には、前記集水溝に対して少なくとも左右の一側に下り勾配の傾斜面が形成されているので、雨水などの路上の表面水は、蓋本体の上面に長手方向に設けられた集水溝に対して少なくとも左右の一側に設けられた下り勾配の傾斜面に沿って円滑かつ確実に集水される。次いで、この集水溝に側溝本体に設けられた流水溝内に連通されるように設けられた複数個の通水長孔部から、該通水長孔部に嵌着された集水溝よりも僅かに幅狭をなす漏斗部を有する漏斗状案内部材を介して円滑かつ迅速に前記流水溝内に流れ落ち、排水される。
【００１７】
また、本発明の請求項４に記載の発明によれば、前記蓋本体の四隅下面には、不陸調整用切欠部が設けられ、前記不陸調整用切欠部には、該不陸調整用切欠部に対応して側溝本体の蓋掛かり部に、その先端部が螺入されたボルトと、該ボルトに螺入されるナットと、により高さ調整杆が構成され、該高さ調整杆が、前記不陸調整用切欠部内に収容されているので、蓋本体を側溝本体の蓋掛かり部に敷設する場合に、蓋本体の四隅下面に設けられた前記不陸調整用切欠部に対応して側溝本体の蓋掛かり部に、ボルトの先端部をナットに螺入して高さを高低調整することにより不陸を調整し、蓋板の水平度を保ち、車両が走行する場合に荷重が加わることによるガタツキ騒音の消音機能が十分になり、カケやヒビ割れが生ずることなく、構造的に堅牢になる。
【００１８】
また、本発明の請求項５に記載の発明によれば、請求項１−４の何れかにおいて、前記固定材が、セメントモルタル、合成樹脂接着剤の何れかであるので、蓋本体を側溝本体の蓋掛かり部に敷設するのに、蓋本体の外側面に縦状に対応して凹設された充填切欠部にセメントモルタル、合成樹脂接着剤のような固定材を充填すると、固定材は前記充填切欠部の正面視左右の側面に蓋本体の長手方向に分岐して設けられている拡張流入溝内に迅速かつ確実に流入され、固化される。そして、蓋本体には、蓋本体の外側面に縦状に対応して凹設された充填切欠部と、該充填切欠部の正面視左右の側面に蓋本体の長手方向に分岐して設けられた拡張流入溝とにより、正面視略逆Ｔ字状に構成され、しかも、固定材は断面略三角形の拡張流入溝に流入されて固化されるので、蓋本体を側溝本体の蓋掛かり部に嵌入して施工後は、前述のように前記固定材が、正面視略逆Ｔ字状をなす充填切欠部と、この充填切欠部の正面視左右の側面に分岐して設けられた拡張流入溝とに、平均して隅々まで充填、固化されて蓋本体に、充填切欠部と、その左右に分岐して設けられた拡張流入溝とよりなる正面視逆Ｔ字状の掛かり部が蓋本体に密着して一体に形成される。そして、蓋本体は側溝本体に構造堅牢にかつ安定に支持される。そして、拡張流入溝は断面略三角形に形成されているので、車両が蓋本体の上面を走行する等して荷重が加わる場合に、荷重は断面略三角形の前記拡張流入溝内に迅速且つ確実に、しかも平均して隅々まで流入、固化された固定材を通じて分散されて軽減され、効果的に安定した状態になるから、ガタツキ騒音の消音機能が十分になり、カケやヒビ割れが生ずることなく、構造的に堅牢になり、施工の作業性は良好である。
【００１９】
また、本発明の請求項６に記載の発明によれば、流水溝を有する側溝本体の上部に対向して設けられた蓋掛かり部に蓋本体を嵌入する工程と、前記蓋本体の外側面に対応して凹設された充填切欠部内に流動性を有する固定材を充填する工程と、前記充填切欠部の左右の側面に長手方向に適当長さ分岐して正面視略Ｔ字状をなし、縦断面略三角形の拡張流入溝内に前記固定材を流入、固定することにより前記蓋本体の側面に前記蓋掛がかり部に密着する掛かり部を成形する工程と、を含み、該掛かり部を介して前記蓋本体を前記蓋掛かり部に固定するので、蓋本体を側溝本体の蓋掛かり部に敷設するのに、蓋本体の外側面に縦状に対応して凹設された充填切欠部にセメントモルタル、合成樹脂接着剤のような固定材を充填すると、固定材は前記充填切欠部の正面視左右の側面に蓋本体の長手方向に分岐して設けられている拡張流入溝内に迅速かつ確実に流入され、固化される。そして、蓋本体には、その外側面に縦状に対応して凹設された充填切欠部と、該充填切欠部の正面視左右の側面に蓋本体の長手方向に分岐して設けられた拡張流入溝とにより、正面視略逆Ｔ字状に構成されるので、蓋本体を側溝本体の蓋掛かり部に嵌入して施工後は、前述のように前記固定材が、正面視略逆Ｔ字状をなす充填切欠部と、この充填切欠部の正面視左右の側面に分岐して設けられた拡張流入溝とに、平均して隅々まで充填、固化されて蓋本体に、充填切欠部と、その左右に分岐して設けられた拡張流入溝とよりなる正面視逆Ｔ字状の掛かり部が蓋本体に密着して一体に形成される。そして、蓋本体は側溝本体に構造堅牢にかつ安定に支持される。そして、拡張流入溝は断面略三角形に形成されているので、車両が蓋本体の上面を走行する等して荷重が加わる場合に、荷重は断面略三角形の前記拡張流入溝内に流入、固化された固定材を通じて分散されて軽減され、効果的に安定した状態になるから、側溝蓋は不用意に移動することなく、しかもガタツキ騒音の消音機能が十分になり、カケやヒビ割れが生ずることなく、構造的に堅牢になり、施工の作業性は良好である。
【図面の簡単な説明】
【００２０】
【図１】本発明の実施形態１を示し、側溝蓋を側溝本体に敷設する状態の斜視図である。
【図２】図２は同じく側溝蓋を側溝本体に敷設した状態の平面図である。
【図３】図３は同じく本実施形態１を構成する側溝蓋の側面図である。
【図４】図４は同じく図２のＡ−Ａ断面図である。
【図５】図５は同じく図２のＢ−Ｂ断面図である。
【図６】図６は同じく本実施形態１を構成する漏斗案内部材を示す斜視図である。
【図７】図７は同じく本発明の実施形態２を示し、側溝蓋を側溝本体に敷設した状態の端面図である。
【図８】図８は同じく蓋本体を示す斜視図である。
【発明を実施するための形態】
【００２１】
以下、図面に従って本発明の実施の最良の形態により、本発明の詳細を説明する。
【００２２】
＜実施形態１＞
本実施形態１は、図１ないし図３に示されるように、蓋本体１の外側面に固定材２を充填する充填切欠部３,３；３,３を複数個縦状に対応位置に凹設し、前記充填切欠部３,３；３,３の正面視左右の側面には前記固定材２が流入される図１および図４に示すように縦断面略三角形の拡張流入溝４,４が前記蓋本体1の長手方向Ｉに分岐して固定材２の充填に適当長さｌ,ｌ設けられている。このように、固定材２の充填に適当長さｌとは、蓋本体１の長さＬが例えば１０００ｍｍである場合には、１３０ｍｍ〜１５０ｍｍが最適である。何故なら、１３０ｍｍ未満であると、後記側溝本体６の蓋掛かり部１２,１２に対する接触長さに欠けて固定強度が損なわれ、構造的に脆弱になるからであり、また、長さｌが１５０ｍｍを超すと、充填切欠部３内に固定材２を投入した場合に、固定材２が拡張流入溝４,４において充填不足になり、空隙個所や不連続個所を生じて蓋掛かり部１２,１２に対する接触長さに欠けて固定強度が損なわれ、構造的に脆弱になるからである。
【００２３】
前記蓋本体１は、本実施形態１では、集水タイプのものが示されている。そして、その上面形状は、例えば幅Ｗ１が１８０ｍｍ〜２２０ｍｍのフラット部１Ａと、幅Ｗ２が２２０ｍｍ程度であり、その中央には後記集水溝５が設けられた略Ｖ字状の傾斜部１Ｂ,１Ｂとからなる複合形をなし、長さＬが例えば５００ｍｍ〜１０００ｍｍに形成され、これらの数値の増減変更は指摘したものに限らず、自由に行える。そして、蓋本体１の上面形状は、図示するものに限らず、例えば片傾斜形状、Ｌ型形状に形成されることもある。
【００２４】
そして、前記充填切欠部３と、拡張流入溝４,４とは、本実施形態１では、図１および図３に示されるように、正面視略逆Ｔ字状に形成されるが、図示は代表的例示であり、図示はしないが、拡張流入溝４は充填切欠部３に対して左右の何れか一側に連設された正面視Ｌ字状に構成されてもよい。このように、蓋本体１の外側面に縦状に充填切欠部３,３；３,３を対応位置に凹設し、前記充填切欠部３,３；３,３の正面視左右の側面には前記固定材２が流入される拡張流入溝４,４が前記蓋本体1の長手方向Ｉに分岐して設けられているので、蓋本体１は減容化されて軽量であるため、運搬する時に、可搬性がよい。
【００２５】
５は前記蓋本体１の上面に長手方向Ｉに設けられた集水溝であり、前記集水溝５には側
溝本体６に設けられた流水溝７内に連通される複数個、図１および図２では２個の通水長
孔部８,８が設けられ、前記通水長孔部８,８には合成樹脂可塑物または金属にて形成され
て前記集水溝５よりも僅かに幅狭をなす図１、図２、図４、図６に示すような扁平な漏斗
部９ａを有する漏斗状案内部材９が嵌着されている。
【００２６】
１０は前記蓋本体１の上面に、図示する本実施形態１では、前記傾斜部１Ｂ,１Ｂの前記集水溝５に対して左右の両側に形成された下り勾配の傾斜面であり、この傾斜面１０は図示するものに限らず、例えば前記集水溝５に対して少なくとも左右の一側に形成されるものであってもよい。
【００２７】
前記固定材２が、セメントモルタル、合成樹脂接着剤の何れかであり、流動性があるものが使用される。
【００２８】
本発明の側溝蓋の実施形態１は以上の構成からなり、蓋本体１の外側面に固定材２を充填する充填切欠部３,３；３,３を複数個、本実施形態１では、図１、図２、図３に示すように片側に２個づつ左右合計４個を縦状に対応位置に凹設し、前記充填切欠部３,３；３,３の正面視左右の側面には前記固定材２が流入される縦断面略三角形の拡張流入溝４,４が前記蓋本体1の長手方向Ｉに分岐して固定材２の充填に適当長さｌが設けられているので、蓋本体１を側溝本体６の蓋掛かり部１２,１２に敷設するのに、先ず、蓋本体１を側溝本体６の蓋掛かり部１２,１２に嵌入する。
【００２９】
次いで、蓋本体１の外側面に縦状に対応して凹設された充填切欠部３,３；３,３にセメントモルタルのような流動性を有する固定材２を充填すると、固定材２は、ワーカビリティの良い状態で流動性が発揮され、前記充填切欠部３,３；３,３から、この前記充填切欠部３,３；３,３の正面視左右の側面に蓋本体１の長手方向Ｉに分岐して固定材２の充填に適当長さｌ、例えば蓋本体１の長さＬが例えば１０００ｍｍの場合には、１３０ｍｍ〜１５０ｍｍに設けられている拡張流入溝４,４内に長手方向Ｉに沿って分配され、迅速かつ確実に平均して隅々まで流入され、固化される。
【００３０】
そして、蓋本体１には、例えば図１、図３に示されるように、蓋本体１の外側面に縦状に対応して凹設された充填切欠部３,３；３,３と、該充填切欠部３,３；３,３の正面視左右の外側面に蓋本体１の長手方向Ｉに分岐して設けられた拡張流入溝４,４と、に前述のように、固定材２が充填、固化されることにより、図１の想像線に示されるように正面視逆Ｔ字状の掛かり部Ｆが蓋本体１の外側面に密着して一体に形成される。しかも固定材２は正面視略逆Ｔ字状をなし、図５に示されるように、断面略三角形の拡張流入溝４,４内に迅速かつ確実に隅々まで平均して流入され、固化されるので、施工後は、前述のように前記固定材２が、蓋本体１に対して図には示さない矩形断面の拡張流入溝に充填される場合よりも少ない充填量の割に大きな接触面積をもって側溝本体６の蓋掛かり部１２,１２に平面４個所にて密着して構造堅牢にかつ安定に支持されるから、蓋本体１は不用意に移動することなく、ガタツキ騒音は生ぜず、消音機能が十分になる。
【００３１】
この際、固定材２が充填される充填切欠部３,３；３,３に対して拡張流入溝４,４は、蓋本体1の長手方向Ｉに分岐して固定材２の充填に適当長さｌ,ｌ、本実施形態１では、例えば蓋本体１の長さＬが例えば１０００ｍｍである場合には、１３０ｍｍ〜１５０ｍｍに設けられているので、充填切欠部３,３；３,３に固定材２を充填した場合に、固定材２は充填切欠部３,３；３,３に分岐して設けられた拡張流入溝４,４内に充填不足になることなく、空隙個所や不連続個所は生ぜず、蓋掛かり部１２,１２に対して固定され、接触長さが充分になり、固定強度が損なわれず、構造的に堅牢になる。
【００３２】
この時、充填切欠部３,３；３,３に対して拡張流入溝４,４の長さｌ,ｌを１３０ｍｍ〜１５０ｍｍにしたのは、１３０ｍｍ未満であると、側溝本体６の蓋掛かり部１２,１２に対する接触長さに欠けて固定強度が損なわれ、構造的に脆弱になるからであり、また、長さｌが１５０ｍｍを超すと、充填切欠部３内に固定材２を投入した場合に、固定材２が拡張流入溝４,４内に充填不足になり、空隙個所や不連続個所を生じて蓋掛かり部１２,１２に対する接触長さに欠けて固定強度が損なわれ、構造的に脆弱になるからである。
【００３３】
そして、車両が蓋本体１の上面を走行する等して荷重Ｗ３が加わる場合に、荷重Ｗ３は断面略三角形の拡張流入溝４,４内に流入、固化された固定材２を通じて応力が集中することなく、分散されて軽減され、効果的に安定した状態になるため、蓋本体１は不用意に移動したり、しかも上下方向に移動してガタ付騒音の消音機能が十分になる。しかも、前述のように、正面視逆Ｔ字状の掛かり部Ｆが蓋本体１の外側面に密着して一体に形成されるため、カケやヒビ割れが生ずることなく、構造的に堅牢になる。
【００３４】
しかも、上述のように、蓋本体１の外側面に縦状に対応して凹設された充填切欠部３,３；３,３および前記充填切欠部３,３；３,３の正面視左右の側面に蓋本体１の長手方向Ｉに分岐して設けられている拡張流入溝４,４内にはセメントモルタルのような固定材２が充填、固化されるので、蓋本体１は、その長手方向Ｉにおいて、側溝本体６の蓋掛かり部１２,１２の立壁１２Ａ,１２Ａとの間に、砂、ゴミが詰まることがない。
【００３５】
また、雨水などの路上の表面水は、蓋本体１の上面に設けた略Ｖ字状の傾斜部１Ｂの上
面に長手方向Ｉに設けられた集水溝５に集水され、次いで、この集水溝５に側溝本体６に
設けた流水溝７内に連通されるように設けられた複数個の通水長孔部８,８から、該通水
長孔部８,８に嵌着された集水溝５よりも僅かに幅狭をなす扁平な漏斗部９ａを有する漏
斗状案内部材９を介して円滑かつ迅速に流水溝７内に流れ落ち、排水される。
【００３６】
この際、雨水などの路上の表面水は、蓋本体１の上面に長手方向Ｉに設けられた集水溝５に対して左右に設けられた下り勾配θの傾斜面１０,１０に沿って集水溝５に流れ下って円滑かつ確実に集水される。
【００３７】
そして、本実施形態１では、図１、図２、図４、図６に示すように集水溝５に複数個、２個が設けられた通水長孔部８に扁平な漏斗部９ａが嵌着された漏斗状案内部材９は、合成樹脂可塑物または金属にて形成されているので、車両が蓋本体１の上面を走行する等して荷重Ｗ３が加わる場合に、漏斗状案内部材９によって通水長孔部８は保護され、通水長孔部８の内縁がカケるのが防止され、構造堅牢である。また、漏斗状案内部材９は、扁平な漏斗部９ａが通水長孔部８に嵌着されているので、不用意に軸周りに回動しない。
【００３８】
＜実施形態２＞
図７および図８に示すものは、本発明の実施形態２である。この実施形態２では、蓋本体１の上面形状がフラット形状に形成されるほか、前記蓋本体１の四隅下面には、不陸調整用切欠部１１,１１；１１,１１が設けられ、前記不陸調整用切欠部１１,１１；１１,１１には、該不陸調整用切欠部１１,１１；１１,１１に対応して側溝本体１の蓋掛かり部１２,１２に、その先端部１３ａが螺入されたボルト１３と、該ボルト１３に螺入されるナット１４と、により高さ調整杆１５が構成され、該高さ調整杆１５が、前記不陸調整用切欠部１１内に収容されている構成を採用している点が前記実施形態１とは異なる構成であるほかは前記実施形態１と同様な構成である。
【００３９】
そして、本実施形態２では、蓋本体１を側溝本体６の蓋掛かり部１２,１２に敷設する場合に、蓋本体１の四隅下面に設けられた前記不陸調整用切欠部１１,１１；１１,１１に対応して側溝本体６の蓋掛かり部１２,１２に、その先端部１３ａが螺入されたボルト１３にナット１４を螺入して高さＨを高低調整することにより不陸を調整し、蓋本体１の水平度を保ち、車両が走行する場合に荷重Ｗ３が加わることによるガタツキ騒音の消音機能が十分になり、カケやヒビ割れが生ずることなく、構造的に堅牢になるという作用・効果を奏するほかは、前記実施形態１と同様な構成、作用である。
【００４０】
なお、上記実施形態１、および上記実施形態２では、蓋本体１の外側面には、一側に２個づつ、左右には合計４個の充填切欠部３,３；３,３と、この充填切欠部３の左右には正面視２個づつ、蓋本体１の左右では、合計８個の拡張流入溝４が設けられているが、これは代表的例示であり、増減変更は図示するものに限らず、自由に行える。
【００４１】
前記充填切欠部３と、拡張流入溝４,４とは、実施形態１および実施形態２では、正面視略逆Ｔ字状に形成されるが、図示は代表的例示であり、図示はしないが、拡張流入溝４は充填切欠部３に対して左右の何れか一側に連設された正面視Ｌ字状に構成されてもよい。
【００４２】
また、上記実施形態２では、蓋本体１の四隅下面に前記不陸調整用切欠部１１,１１；１１,１１を設け、この不陸調整用切欠部１１,１１；１１,１１に対応して側溝本体６の蓋掛かり部１２,１２に、その先端部１３ａが螺入されたボルト１３にナット１４を螺入して高さＨを高低調整することにより不陸を調整し、蓋本体１の水平度を保つ構成としているが、実施形態１においても蓋本体１の四隅下面に前記不陸調整用切欠部１１,１１；１１,１１を設けるとともに、この不陸調整用切欠部１１,１１；１１,１１に対応して側溝本体６の蓋掛かり部１２,１２に、ボルト１３の先端部１３ａをナット１４に螺入することにより高さＨを高低調整して不陸を調整するようにすることも本発明の適用範囲である。
【産業上の利用可能性】
【００４３】
本発明は、ガタツキ騒音の消音機能が十分であり、カケやヒビ割れが生ずることなく、構造的に堅牢であり、しかも、蓋板の長手方向相互、または蓋板の幅方向において、側溝本体の蓋掛かりの立壁との間に、砂、ゴミが詰まることがないという用途・機能に適する。
【符号の説明】
【００４４】
１      蓋本体
１Ａ    フラット部
１Ｂ    傾斜部
２      固定材
３      充填切欠部
４      拡張流入溝
５      集水溝
６      側溝本体
７      流水溝
８      通水長孔部
９      漏斗状案内部材
９ａ    漏斗部
１０    傾斜面
１２    蓋掛かり部
１２Ａ  立壁
１３    ボルト
１３a   先端部
１４    ナット
１５    高さ調整杆
Ｉ      長手方向
Ｊ      幅方向
Ｌ      長さ
Ｗ１    幅
Ｗ２    幅
Ｗ３    荷重
【図１】
0005764378.tif 000002
【図２】
0005764378.tif 000003
【図３】
0005764378.tif 000004
【図４】
0005764378.tif 000005
【図５】
0005764378.tif 000006
【図６】
0005764378.tif 000007
【図７】
0005764378.tif 000008
【図８】
0005764378.tif 000009